(57)【特許請求の範囲】
【請求項１】
内部に、湯又は水を供給する水栓からの湯又は水を分岐して導入する通路を構成した温水導入プラグと、前記温水導入プラグの一端に取り付けられ、内部に、前記導入された湯又は水の水圧で作動する摺動板と、前記摺動板を付勢するバネを内蔵し、貫通穴を穿設した蓋板を有する作動筒と、前記蓋板の貫通穴に取り付けられ、先端部を作動筒内に配置した気体制御棒を有する気体制御弁とからなり、
前記導入された湯又は水の水圧を加えることで作動筒のバネと気体制御弁のバネの弾発力に抗して摺動板を作動させて気体制御弁を開放し、一方前記水圧をゼロにすることで作動筒のバネと気体制御弁のバネの弾発力で摺動板を初期の位置に戻し気体制御弁を閉止する炭酸ガス制御弁ユニット。
【請求項２】
前記気体制御弁の気体制御棒の先端部を摺動板に固定したことを特徴とする請求項１記載の炭酸ガス制御弁ユニット。
【請求項３】
内部に、湯又は水を供給する水栓からの湯又は水を分岐して導入する通路を構成した温水導入プラグと、前記温水導入プラグの一端に取り付けられ、内部に、前記導入された湯又は水の水圧で作動する膜体と、前記膜体を内蔵し、貫通穴を穿設した蓋板を有する作動筒と、前記蓋板の貫通穴に取り付けられ、先端部を作動筒内に配置した気体制御棒を有する気体制御弁とからなり、
前記気体制御弁は、下端に前記作動筒の蓋板に固定する下部フランジを構成し、上部に気体の流出口と気体の流入口を備え、前記作動筒と別体に構成されていて、
前記導入された湯又は水の水圧を加えることで気体制御弁のバネの弾発力に抗して膜体を作動させて気体制御弁を開放し、一方前記水圧をゼロにすることで気体制御弁のバネの弾発力で膜体を初期の位置に戻し気体制御弁を閉止する炭酸ガス制御弁ユニット。
【請求項４】
内部に、湯又は水を供給する水栓からの湯又は水を分岐して導入する通路を構成した温水導入プラグと、前記温水導入プラグの一端に取り付けられ、内部に、前記導入された湯又は水の水圧で作動する膜体と、前記膜体を内蔵し、貫通穴を穿設した蓋板を有する作動筒と、前記蓋板の貫通穴に取り付けられ、先端部を作動筒内に配置した気体制御棒を有する気体制御弁とからなり、前記作動筒は前記膜体のみによって２分割され、
前記導入された湯又は水の水圧を加えることで気体制御弁のバネの弾発力に抗して膜体を作動させて気体制御弁を開放し、一方前記水圧をゼロにすることで気体制御弁のバネの弾発力で膜体を初期の位置に戻し気体制御弁を閉止する炭酸ガス制御弁ユニット。
【請求項５】
請求項１乃至請求項４の炭酸ガス制御弁ユニットを装備した炭酸泉供給装置であり、湯又は水を供給する水栓と炭酸泉供給手段との間に、湯又は水の水路から分岐して炭酸ガス制御弁ユニットを設置し、前記炭酸ガス制御弁ユニットの気体制御弁の気体流入口と炭酸ガスボンベとをチューブで連結し、さらに前記気体制御弁の気体流出口と炭酸泉供給手段を他のチューブによって連結したことを特徴とする炭酸泉供給装置。
【発明の詳細な説明】
【技術分野】
【０００１】
本発明は、温水に炭酸ガスを溶け込ませて炭酸泉を効率よく生成する装置に関するもので、特に電源を使わず、機械的に温水を供給する水栓の操作だけで温水の供給に連動して炭酸ガスの供給を可能にした炭酸ガス制御弁ユニット及びそれを用いた炭酸泉供給装置に関するものである。
【背景技術】
【０００２】
従来より、炭酸泉を人工的に作る際には温水の供給と炭酸ガスの供給を別々のバルブ操作で行う方法があったが、バルブ操作が煩雑なため、閉め忘れや作業の時間差による無駄が発生した。
また、炭酸ガスの供給を、電磁弁を利用して行う方式も多く用いられているが、この方式では電源の確保が必要であり、そのための配線工事や安全対策等で製品の価格も高くなるという問題があった。
さらに水栓金具の機種を限定して機械的に行う方式もあったが、機種が限定されるため個人の嗜好に左右されること、既存機器への設置の場合水栓金具の取り換えが必要であり、勢い価格も高くなるという問題があった。
【０００３】
そこで、特許文献１に示すような、混合水栓に用いられる湯の供給ハンドルによって湯と炭酸ガスの供給をコントロールする制御機構が提案された。
【先行技術文献】
【特許文献】
【０００４】
【特許文献１】特開２０１４−２１７４２１
【０００５】
特許文献１記載の炭酸泉製造装置は、混合水栓と制御機構の本体である水流制御バルブと炭酸ガス供給バルブ及びホース、このホースと連結したホース等からなり、ホースに設けた水流切り替え器によって、炭酸泉はホースを介してシャワーヘッドあるいは撹拌ヘッドへと供給されるものである。
【０００６】
前記水流制御バルブは湯又は水の供給バルブ機能を有するもので、内部に給水口と連通した第１シリンダと出水口に連通した第２シリンダを構成し、前記第１シリンダと第２シリンダを連通してなるものである。すなわち、前記水流制御バルブは湯又は水の水路中に配置されていて、水路に対していわゆる直列状態となっているため、前記水流制御バルブが停止したとき、又は保守点検のための取り付け、取り外しの際にはシャワー装置の使用ができなくなるという問題点があった。
【発明の概要】
【発明が解決しようとする課題】
【０００７】
本発明は前記のような従来の問題点を解決するもので、電力を使用せずに混合水栓のバルブ操作だけで、温水と炭酸ガスの供給を時間差なく行うことができ、かつ水路から分岐して水路に対して並列状態に取り付けた炭酸ガス制御弁ユニット及びそれを用いた炭酸泉供給装置を提供することを目的としている。
【課題を解決するための手段】
【０００８】
本発明は、内部に、湯又は水を供給する水栓からの湯又は水を分岐して導入する通路を構成した温水導入プラグと、前記温水導入プラグの一端に取り付けられ、内部に、前記導入された湯又は水の水圧で作動する摺動板と、前記摺動板を付勢するバネを内蔵し、貫通穴を穿設した蓋板を有する作動筒と、前記蓋板の貫通穴に取り付けられ、先端部を作動筒内に配置した気体制御棒を有する気体制御弁とからなり、前記導入された湯又は水の水圧を加えることで作動筒のバネと気体制御弁のバネの弾発力に抗して摺動板を作動させて気体制御弁を開放し、一方前記水圧をゼロにすることで作動筒のバネと気体制御弁のバネの弾発力で摺動板を初期の位置に戻し気体制御弁を閉止する炭酸ガス制御弁ユニットである。
【０００９】
本発明は、前記気体制御弁の気体制御棒の先端部を摺動板に固定した炭酸ガス制御弁ユニットである。
【００１０】
本発明は、内部に、湯又は水を供給する水栓からの湯又は水を分岐して導入する通路を構成した温水導入プラグと、前記温水導入プラグの一端に取り付けられ、内部に、前記導入された湯又は水の水圧で作動する膜体と、前記膜体を内蔵し、貫通穴を穿設した蓋板を有する作動筒と、前記蓋板の貫通穴に取り付けられ、先端部を作動筒内に配置した気体制御棒を有する気体制御弁とからなり、前記気体制御弁は、下端に前記作動筒の蓋板に固定する下部フランジを構成し、上部に気体の流出口と気体の流入口を備え、前記作動筒と別体に構成されていて、前記導入された湯又は水の水圧を加えることで気体制御弁のバネの弾発力に抗して膜体を作動させて気体制御弁を開放し、一方前記水圧をゼロにすることで気体制御弁のバネの弾発力で膜体を初期の位置に戻し気体制御弁を閉止する炭酸ガス制御弁ユニットである。
また本発明は、内部に、湯又は水を供給する水栓からの湯又は水を分岐して導入する通路を構成した温水導入プラグと、前記温水導入プラグの一端に取り付けられ、内部に、前記導入された湯又は水の水圧で作動する膜体と、前記膜体を内蔵し、貫通穴を穿設した蓋板を有する作動筒と、前記蓋板の貫通穴に取り付けられ、先端部を作動筒内に配置した気体制御棒を有する気体制御弁とからなり、前記作動筒は前記膜体のみによって２分割され、前記導入された湯又は水の水圧を加えることで気体制御弁のバネの弾発力に抗して膜体を作動させて気体制御弁を開放し、一方前記水圧をゼロにすることで気体制御弁のバネの弾発力で膜体を初期の位置に戻し気体制御弁を閉止する炭酸ガス制御弁ユニットである。
【００１１】
本発明は、前記炭酸ガス制御弁ユニットを装備した炭酸泉供給装置であり、湯又は水を供給する水栓と炭酸泉供給手段との間に、湯又は水の水路から分岐して炭酸ガス制御弁ユニットを設置し、前記炭酸ガス制御弁ユニットの気体制御弁の気体流入口と炭酸ガスボンベとをチューブで連結し、さらに前記気体制御弁の気体流出口と炭酸泉供給手段を他のチューブによって連結したことを特徴とする炭酸泉供給装置である。
【発明の効果】
【００１２】
請求項１記載の炭酸ガス制御弁ユニットによれば、水栓のバルブ操作だけで湯又は水と炭酸ガスの供給及び停止を同時に行うことができる。これにより炭酸ガスのバルブの締め忘れによるガスのたれ流しや、バルブ操作作業の時間差から生じる湯又は水あるいはガスの無駄な消費を抑えることが可能となる。また装置の作動を湯又は水の水圧を利用して行うため省エネルギーとなり、かつ製品コストも安価で取り扱いも安全である。
さらに湯又は水の水路から分岐して取り付けているため、取り付け、取り外しが容易に行え、保守点検などで一時的に炭酸ガス制御弁ユニットを停止しても給水は独立して使用することができる等の効果を奏する。
【００１３】
請求項２記載の炭酸ガス制御弁ユニットによれば、気体制御弁の気体制御棒が摺動板と一体に構成されているため、請求項１記載の効果に加え摺動板の作動がより正確となり、気体制御弁による炭酸ガスの供給もより正確に行われるという効果を奏する。
【００１４】
請求項３記載及び請求項４記載の炭酸ガス制御弁ユニットによれば、気体制御弁の操作を膜体の上下動で行うため、請求項１記載の効果に加え、摺動部分が無いため、水垢等による作動不良をもたらす恐れが少なくなり、さらに炭酸ガス制御弁ユニット全体のサイズをコンパクトにできるという効果を奏する。
【００１５】
請求項５記載の炭酸泉供給装置によれば、請求項１乃至請求項４記載の炭酸ガス制御弁ユニットを使用したため、水栓の操作だけで湯又は水と炭酸ガスの供給と停止を時間差なく行うことができ使用時の動作が単純化される。また、電気の使用が不要であり安全であると同時に省エネルギーの効果も奏する。
【図面の簡単な説明】
【００１６】
【図１】炭酸ガス制御弁ユニットの実施形態１の正面断面図
【図２】炭酸ガス制御弁ユニットの実施形態１の作動状態の正面断面図
【図３】炭酸泉供給装置の一実施形態を示す模式図
【図４】炭酸ガス制御弁ユニットの実施形態２の正面断面図
【図５】炭酸ガス制御弁ユニットの実施形態２の作動状態の正面断面図
【図６】炭酸ガス制御弁ユニットの実施形態３の正面断面図
【図７】炭酸ガス制御弁ユニットの実施形態３の作動状態の正面断面図
【図８】（ａ）は図６の一部拡大図で、膜体の周縁部とリング状押え材と温水導入プラグ内面の段部の構造を示す断面拡大図、（ｂ）は（ａ）から膜体を除いた状態の断面拡大図
【図９】（ａ）は膜体の周縁部とリング状押え材と温水導入プラグ内面の段部の他例の構造を示す断面拡大図、（ｂ）は（ａ）から膜体を除いた状態の断面拡大図
【００１７】
本発明の炭酸ガス制御弁ユニットの実施形態１を図１乃至図３に基づいて説明する。
実施形態１の炭酸ガス制御弁ユニットＡは、温水導入プラグ１の上部に作動筒２を固定し、前記作動筒２の内部にはバネ３５（コイル状の圧縮バネ）の弾発力で上下動する摺動板３を摺動自在に収容し、作動筒２の上部に気体制御弁５を取り付けて構成したものである。以下各部の構成について説明する。
【００１８】
温水導入プラグ１は、水栓７１からシャワーホース７７に供給する温水を分岐して作動筒２に導入するもので、端部に後記の継手金具７４への取付部１２を構成し内部に温水の通路１１を有している。
【００１９】
作動筒２は、前記温水導入プラグ１の上端（通路１１の温水の出口側）に取り付けられている。作動筒２の下端は開口していて、端部近辺の内周面には、前記温水導入プラグ１に組込むためのネジ部２４が構成されている。
図中符号１５は止水材であり、温水導入プラグ１と作動筒２の組込み部に装着し、作動筒２内からの漏水を防止する。  
【００２０】
一方、作動筒２の上端には蓋板２１が一体に構成され、その中心部にはネジ部２３を有する貫通穴２２が穿設され、この貫通穴２２に気体制御弁５の下部フランジ５３が螺合されている。
【００２１】
前記作動筒２の内部には、摺動板３が軸方向に摺動自在に設けられていて、摺動板３の上面には所定の大きさの凹部３１を形成すると共に、下面には所定の大きさの凹部３２を構成してある。
符号３９は止水材であり、作動筒２と摺動板３との間隙部での温水の通漏を防止する。この止水材３９は摺動板３の摺動時の抵抗が極力小さくなる材質、形状が望ましい。
【００２２】
前記摺動板３の凹部３１と、作動筒２の蓋板２１の間にはバネ３５を装着し、初期状態では図１のように、摺動板３はバネ３５の弾発力により温水導入プラグ１に押し付けられている。
【００２３】
摺動板３の下面の凹部３２は、温水導入プラグ１の通路１１より導入された温水の水圧が摺動板３に効果的に作用するようにしたものである。
一方、上面の凹部３１は、バネ３５を安定して装着させると共に、炭酸ガス制御弁ユニットＡ全体の長さをより短くし軽量化を図ることを目的としている。
【００２４】
前記作動筒２の上部には気体制御弁５が同軸上に取り付けられている。気体制御弁５は、炭酸ガスの供給と停止を機械的な動作で行うもので、下端に前記作動筒２の蓋板２１に固定する下部フランジ５３を構成し、上部に気体の流出口５１、気体の流入口５２を備えている。符号２５はエア抜き孔である。
【００２５】
気体制御弁５内には、気体制御棒５４が軸方向に摺動自在に組込まれ、その一端は下部フランジ５３を貫通して外部に突出していて、その先端部には保護材５５が装着されている。他端は気体制御弁５内に位置し、上部フランジ５７との間に介在するバネ５ａによって常時下方（下部フランジ５３側）に付勢されている。
【００２６】
気体制御棒５４が最下端に位置した時に、保護材５５の下端面５５ｂと摺動板３の凹部３１の上端面３１ａとの間に所定の間隔Ｄが存するのであり、この状態が初期状態であり作動筒２内の水圧がゼロで気体制御弁５が閉じている状態である（図１）。なお前記間隔Ｄの大きさは、任意に設定できゼロとすることもできる。
【００２７】
前記保護材５５の上端面５５ａと下部フランジ５３の下端面５３ａとの距離δ１は、気体制御弁５の開閉に必要な気体制御棒５４の押し込み長さに設定されている。また作動筒２の内径は、水圧によって摺動板３を移動させて気体制御棒５４を押し込むのに充分な荷重が出る大きさに設定する。
【００２８】
気体制御弁５は、気体制御棒５４の軸方向の移動により弁（図示せず）が開閉し、炭酸ガスの供給と停止を行う。
すなわち、図１の気体制御棒５４の初期状態では弁が閉じた状態であるが、水圧により気体制御棒５４が気体制御弁５内に押し込まれ図２の状態になると弁が開いて炭酸ガスの供給が行われる。そして水圧が解除されるとバネ５ａの弾発力により気体制御弁５が初期状態に戻り弁は閉じて炭酸ガスの供給は停止するのである。
【００２９】
上記のように構成した本実施形態の作用を説明する。この実施形態では、炭酸ガス制御弁ユニットＡをシャワーヘッドを備えた炭酸泉供給装置に用いた場合について説明する。
【００３０】
図３に示す如く炭酸ガス制御弁ユニットＡは、水栓７１のシャワー給水口７３とシャワーホース７７の接続端との間の継手金具７４に設置する。
【００３１】
炭酸ガス制御弁ユニットＡの動作機能を説明する。
シャワー使用時は、水栓７１のレバー操作により温水をシャワー給水口７３側から送水し、シャワーホース７７を経て炭酸泉供給手段であるシャワーヘッド７９より外部に排出させる。
このとき温水の出口であるシャワーヘッド７９では、水栓７１の給水能力に対し水量が絞られているため、シャワーホース７７内の水圧はゼロ以上に保持された状態であるが、水栓７１からの送水を停止するとシャワーホース７７内の水圧が急激に低下しゼロとなる。
【００３２】
炭酸ガス制御弁ユニットＡは、前記のように継手金具７４に設置されているから、温水は継手金具７４より分岐して炭酸ガス制御弁ユニットＡに導入されている。
炭酸ガス制御弁ユニットＡの作動筒２内は、摺動板３と止水材３９で封止されているため、温水で充満された部分は、継手金具７４を経てシャワーホース７７に流れる温水と同じ水圧であり、この水圧により作動筒２内の摺動板３が押し込まれるように移動しバネ３５が圧縮するのである（図２参照）。
【００３３】
この摺動板３の移動により、気体制御棒５４が押圧されて移動し気体制御弁５内の弁が開き炭酸ガスを供給状態にする。同時に気体制御弁５内のバネ５ａが圧縮する。
【００３４】
また、摺動板３の移動量は気体制御弁５の開閉に必要な程度で良く、気体制御棒５４の先端の保護材５５の上端面５５ａと気体制御弁５の下部フランジ５３の下端面５３ａとの距離δ１でコントロール可能としている。
これは、摺動板３の上端面３ａと作動筒２の蓋板２１の下端面２１ａとの距離δ２でコントロールすることも可能である。
【００３５】
炭酸ガスは別体に設けた炭酸ガスボンベ８０より供給される。すなわち炭酸ガスボンベ８０と気体制御弁５の気体の流入口５２をチューブ７５で連結し、気体制御弁５の気体の流出口５１と継手金具７４とをチューブ７６によって連結することで、炭酸ガスはシャワーホース７７内に供給されるのである。符号７６ａは逆止弁である。
【００３６】
シャワーホース７７内は、水栓７１から供給された温水がシャワーヘッド７９へ向かって流れているため、炭酸ガスもこの温水に混流し部分的に温水に溶解しながら温水と共にシャワーヘッド７９の吐出口より外部に排出される。
またシャワーホース７７内に、温水と炭酸ガスを撹拌して温水の溶解を促進するような撹拌部材を設置する等、シャワーホース７７内の構造により炭酸ガスの温水への溶解量を高めることもできる。
【００３７】
シャワーを停止させるときは、水栓７１のバルブ操作で行う。
水栓７１を閉じるとシャワーホース７７内の水圧が低下し、やがてゼロになる。同時に炭酸ガス制御弁ユニットＡの作動筒２内の水圧もゼロとなるので、作動筒２のバネ３５と気体制御弁５のバネ５ａの反発力によって、気体制御棒５４及び摺動板３が初期位置まで戻り、気体制御弁５が閉じて炭酸ガスの供給も停止する。
このように、気体制御弁５は、水栓７１の給水と停止に連動して作動するため、水栓７１の操作だけで温水と炭酸ガスの供給と停止を行うことが可能となる。
【００３８】
上述のように本実施形態の炭酸ガス制御弁ユニットによれば、次のような効果を奏する。すなわち水栓のバルブ操作だけで温水と炭酸ガスの供給及び停止を同時に行うことができる。これにより炭酸ガスバルブの締め忘れによるガスのたれ流しや、バルブ操作作業の時間差から生じる温水又はガスの無駄な消費を抑えることが可能となる。
また、炭酸ガス制御弁ユニットは水栓から分岐して、いわゆる並列状に設置するので、保守点検などで一時的に炭酸ガス制御弁ユニットを停止しても給水は独立して使用することができる。
【００３９】
また本実施形態の炭酸泉供給装置によれば、従来のように温水の給水と炭酸ガスの供給のために別々のバルブ操作をする手間がなくなり、水栓のバルブ操作だけで温水と炭酸ガスの供給と停止を時間差なく行うことができ、シャワー使用時の動作が単純化される。また、電気の使用が不要であり安全であると同時に省エネルギーの効果もあり製品のコストダウンも図ることができる。
【００４０】
さらにシャワー停止時には、水栓のバルブ操作だけで同時に炭酸ガスの供給停止も行えるので、炭酸ガスバルブの閉め忘れや操作の遅れなどによる炭酸ガスの不必要な消費を抑えることができる。
また、本実施形態の炭酸泉供給装置は一実施形態であり、炭酸泉の用途はシャワーに限らず他の炭酸泉供給手段によって浴槽への供給や他の容器への供給にも適用できるのである。
【００４１】
本発明の炭酸ガス制御弁ユニットの実施形態２について説明する。
図４、図５に示すように本実施形態の炭酸ガス制御弁ユニットＢは、気体制御弁５の気体制御棒５４の先端部を摺動板３０の取付穴３０ｂに螺合して固定してある。
【００４２】
その他の構成及び作用は前記実施形態１の炭酸ガス制御弁ユニットＡと同一であるので同一符号を付してその説明を省略する。
【００４３】
本実施形態の効果は前記実施形態１の効果を奏する。さらに炭酸ガス制御弁ユニットＢは気体制御棒５４と摺動板３０とを固定しているから、気体制御棒５４は摺動板３と一体に作動する。そのため摺動板３０が移動中に傾くことを防止できるため正確な作動が期待できる。したがって、気体制御弁による炭酸ガスの供給もさらに正確に行われるという効果を奏する。
【００４４】
本発明の炭酸ガス制御弁ユニットの実施形態３を図に基づいて説明する。
図６乃至図９に示す炭酸ガス制御弁ユニットＣは、内部に温水の通路１１１を有する温水導入プラグ１０１と作動筒１０２とをネジ部１２４により連結して構成したものである。以下各部の構成について説明する。
【００４５】
前記温水導入プラグ１０１は、前記水栓７１からシャワーホース７７に供給する温水を分岐して作動筒１０２に導入するもので、端部に継手金具７４への取付部１１２を構成し内部に温水の通路１１１を有している。
【００４６】
作動筒１０２は、前記温水導入プラグ１０１の上端（通路１１１の温水の出口側）に取り付けられている。作動筒１０２の下端は開口していて、端部近辺の内周面には、前記温水導入プラグ１０１に組込むためのネジ部１２４が構成されている。
【００４７】
一方、作動筒１０２の上端には蓋板１２１が一体に構成され、その中心部にはネジ部１２３を有する貫通穴１２２が穿設され、この貫通穴１２２に前記気体制御弁５の下部フランジ５３が螺合されている。
【００４８】
作動筒１０２の内部の空間は柔軟性にすぐれた膜体１０３で仕切られて２分割されている。前記膜体１０３は、炭酸泉と接するため耐水性に優れ、飲料水の水質に影響を与えない材料である。図中符号１２５はエア抜き孔である。
【００４９】
前記気体制御棒５４の先端部に距離δ３を有して取り付けた保護材５５の下端に受圧材１５６を固定する。この受圧材１５６を前記膜体１０３に固定しても良く、その際には前記制御棒５４の先端部の保護材５５とは分離した状態とする。距離δ３は、気体制御弁５の開閉に必要な気体制御棒５４の押し込み長さに設定されている。
【００５０】
前記膜体１０３の周縁部１１３はリング状押え材１３９の受け座面であり、中央部より厚肉で硬い材質が望ましく、心材などを複合させてもよく、その断面形状は楔状となっている。さらに膜体１０３の屈曲性・耐久性を高めるために繊維などを配設した複合材とすることもできる。
【００５１】
前記膜体１０３は、温水導入プラグ１０１内面の段部１０１ａと作動筒１０２の開口端との間に配設したリング状押え材１３９によって固定されている。
【００５２】
前記リング状押え材１３９は、組込時の圧縮力や膜体の水圧による変形に対して変形しない強度を有し、かつ作動筒１０２の開口端と接する面は平滑で作動筒１０２との摩擦抵抗が小さい材料であり、またそのような性能を有する複合材である。
【００５３】
図８（ａ）、（ｂ）に示すように、リング状押え材１３９の下端１３９ａと温水導入プラグ１０１内面の段部１０１ａで形成する空間Ｋの断面は、膜体１０３の周縁部１１３の楔状断面に相応した形状で、膜体１０３を確実に固定すると共に膜体１０３の締め付け代を考慮している。
前記空間Ｋの断面を楔状に形成するために、前記段部１０１ａとリング状押え材１３９の下端１３９ａは少なくとも片方面が傾斜していることが必要であり、前記段部１０１ａが水平で前記下端１３９ａが傾斜している構造である。
また、他例として示す図９（ａ）、（ｂ）では前記段部１０１ａが傾斜していて前記下端１３９ａが水平であり、この場合膜体１０３の周縁部１１３の形状は、この空間Ｋの断面形状に合わせて構成される。
【００５４】
前記受圧材１５６の材質は、膜体１０３を介して受ける水圧に変形の生じないものであり、その面積は炭酸泉供給装置側の水圧で気体制御弁５の作動を可能にするに必要な広さとする。
【００５５】
前記作動筒１０２の上部には前記気体制御弁５が同軸上に取り付けられている。この気体制御弁５は、炭酸ガスの供給と停止を機械的な動作で行うもので、前記実施形態１と同様の構成であるため同一の構成は同一の符号を付して説明を省略する。
【００５６】
上記のように構成した本実施形態の作用を説明する。
実施形態３の炭酸ガス制御弁ユニットＣは、水栓７１のシャワー給水口７３とシャワーホース７７の接続端との間の継手金具７４に設置されるもので、前記実施形態１と同様な作用をするため重複する部分は省略する。
【００５７】
炭酸ガス制御弁ユニットＣは、前記のように継手金具７４に設置されているから、温水は継手金具７４より分岐して炭酸ガス制御弁ユニットＣに導入されている。この温水の水圧により作動筒１０２内の、膜体１０３が押圧されて上方に移動する（図７参照）。
【００５８】
この膜体１０３の移動により、気体制御棒５４が押圧されて上方移動し気体制御弁５内の弁が開き炭酸ガスを供給状態にする。同時に気体制御弁５内のバネ５ａが圧縮するのである。
すなわち気体制御棒５４の摺動により気体制御弁５内の弁の開閉がなされるもので、通常は内部のバネ５ａにより弁が閉止した状態であるが、炭酸泉供給装置の使用時は受圧材１５６を介して気体制御棒５４が押し上げられ弁が開くのである。
【００５９】
その他の作用は前記実施形態１の炭酸ガス制御弁ユニットＡと同様であるので説明を省略する。
【００６０】
本実施形態の効果は前記実施形態１の効果を奏する。さらに本実施形態では、膜体１０３は周縁部１１３を固定していて中央部が上下に変形して上下動するので摺動部分が無く、そのため水垢などが固まって作動不良をもたらすことがない。また膜体１０３は薄いので炭酸ガス制御弁ユニット全体のサイズをコンパクトにできるという効果を奏する。
【符号の説明】
【００６１】
１  温水導入プラグ            ２  作動筒
３  摺動板                    ５  気体制御弁
１１  通路                    ２１  蓋板          
２２  貫通穴                  ３１  凹部  
３２  凹部                    ３５  バネ  
５１  気体の流出口            ５２  気体の流入口
５３  下部フランジ            ７１  水栓        
７４  継手金具                ７７  シャワーホース  
７９  シャワーヘッド（炭酸泉供給手段）
１０１  温水導入プラグ        １１１  温水の通路
１０２  作動筒                １０３  膜体
Ａ  炭酸ガス制御弁ユニット    Ｂ  炭酸ガス制御弁ユニット
Ｃ  炭酸ガス制御弁ユニット
【要約】 
【課題】  電力を使用せずに混合水栓のバルブ操作だけで、温水と炭酸ガスの供給を時間差なく行うことができる炭酸ガス制御弁ユニット及びそれを利用した炭酸泉供給装置を提供する。
【解決手段】  内部に温水の通路を構成した温水導入プラグ１と、前記温水導入プラグ１に取り付けられ、内部に水圧で作動する摺動板３とこの摺動板３を付勢するバネを備え蓋板２１に貫通穴２２を穿設した作動筒２と、前記蓋板の貫通穴に取り付けられ、気体の供給を制御する気体制御棒５４を有し、その先端部を作動筒内に配置した気体制御弁５とからなる炭酸ガス制御弁ユニットとそれを用いた炭酸泉供給装置。
【選択図】図１【図１】
0005917732.tif 000002
【図２】
0005917732.tif 000003
【図３】
0005917732.tif 000004
【図４】
0005917732.tif 000005
【図５】
0005917732.tif 000006
【図６】
0005917732.tif 000007
【図７】
0005917732.tif 000008
【図８】
0005917732.tif 000009
【図９】
0005917732.tif 000010